(57)【要約】【課題】  カム溝が形成された複数の絞り羽根を小さくしても、絞り径を小さくするにつれて、光路開口中に進入量が増加する上記カム溝を完全に遮光できるようにして、小型化を可能とした絞り装置を提供すること。【解決手段】  絞り装置１は、互いに重なり合う複数の絞り羽根６を有し、第１の絞り羽根６ａが被写体光束中に進入するのに伴い、第１の絞り羽根６ａの第１のカム溝２２ａを第２の絞り羽根６ｂによって遮光すると共に、第２の絞り羽根６ｂでは遮光しきれないカム溝２２ａの残りの被写体光束中の未遮光残部を遮光する第３の絞り羽根を具備している。【選択図】図１１
2010281970.tif 000002
【特許請求の範囲】
【請求項１】
互いに重なり合う複数の絞り羽根を有する絞り装置において、
撮影光学系の光軸を中心に開放開口量を定める開口を有した開口部材と、
上記開口の外方に設けられた第１の支軸と、
上記開口の外方に上記第１の支軸と異なる上記光軸を中心とした周方向の位置に設けられた第２の支軸と、
上記第２の支軸と共に上記第１の支軸を挟むように上記開口の外方に上記第１の支軸、及び上記第２の支軸と異なる上記光軸を中心とした周方向の位置に設けられた第３の支軸と、
上記第１の支軸より上記光軸内方に配設され、該光軸回りに移動する第１の駆動軸と上記第２の支軸より上記光軸内方に配設され、該光軸回りに移動する第２の駆動軸と、上記第３の支軸より上記光軸内方に配設され、該光軸回りに移動する第３の駆動軸と、を有し、上記第１の駆動軸、上記第２の駆動軸、及び上記第３の駆動軸を上記光軸回りに往復移動させる駆動部材と、
上記絞り羽根の１つであって、上記第１の支軸に回動可能に嵌合された第１の回転孔と、上記第１の駆動軸が嵌入され、上記駆動部材が駆動されることにより上記第１の駆動軸の上記光軸回りの移動量に応じて、該第１の支軸回りの回転量を制御するための第１のカム溝と、を有し、該第１のカム溝により制御された上記第１の支軸回りの回転に伴い、該被写体拘束中に進入する第１の絞り羽根と、
上記第１の絞り羽根とは異なる上記絞り羽根の１つであって、上記第２の支軸に回転可能に嵌合された第２の回転孔と、上記第２の駆動軸が嵌入され、上記駆動部材が駆動されることにより上記第２の駆動軸の上記光軸回りの移動量に応じて、該第２の支軸回りの回転量を制御するための第２のカム溝と、を有し、該第２のカム溝により制御された上記第２の支軸回りの回転に伴い、上記第１の絞り羽根が被写体光束中に進入するのに伴い、上記第１のカム溝の被写体拘束中の一部を遮光する第２の絞り羽根と、
上記第１の絞り羽根、及び上記第２の絞り羽根とは異なる上記絞り羽根の１つであって、上記第３の支軸に回転可能に嵌合された第３の回転孔と、上記第２の駆動軸が嵌入され、上記駆動部材が駆動されることにより上記第３の駆動軸の上記光軸回りの移動量に応じて、該第３の支軸回りの回転量を制御するための第３のカム溝と、を有し、上記第１の絞り羽根が被写体光束中に進入するのに伴い、上記第２の絞り羽根では遮光しきれない上記第１のカム溝の残りの被写体光束中の未遮光残部を遮光する第３の絞り羽根と、
を具備したことを特徴とした絞り装置。
【請求項２】
上記第３の絞り羽根の上記未遮光残部を遮光する部分は、凸状に形成されていることを特徴とする請求項１に記載の絞り装置。
【請求項３】
上記第２の絞り羽根、及び上記第３の絞り羽根は、上記第１の絞り羽根と同一形状であることを特徴とした請求項１、または請求項２に記載の絞り装置。
【発明の詳細な説明】
【技術分野】
【０００１】
本発明は、光学機器に配設され、変位することによって通過光量を変化させる複数の絞り羽根を備えた絞り装置に関する。
【背景技術】
【０００２】
従来、カメラ等の光学機器に配設される絞り装置は、支軸に回動自在に配設された複数の絞り羽根にカム溝を形成して、このカム溝に係入されるカムフォロアが設けられた回動部材の回動により、複数の絞り羽根が光路開口量を調整するもの他、回動部材側にカム溝を形成して、このカム溝に係入されるカムフォロアを複数の絞り羽根に設けたものなどが知られている。
【０００３】
このような各種絞り装置は、絞り羽根にカムフォロアを設ける構成品では絞り羽根にピン形状のカムフォロアをカシメなければならず、コスト高となるため、前者の複数の絞り羽根にカム溝を形成した構成品が採用されることもある。
【０００４】
例えば、特許文献１に開示される虹彩絞り装置のように、羽根作動部材のピンに嵌合する長孔であるカム溝が形成された複数の絞り羽根を鱗状に重ね合わせて、羽根作動部材の動作に従って複数の絞り羽根が支軸回りに回動されることで、任意の絞り開口量を可変するものが公知となっている。
【０００５】
また、例えば、特許文献２に開示される絞り装置である光路開閉装置は、複数の羽根部材の回動中心となる複数の支点ピンを風車に設け、この風車にモータのピニオンと噛合するラックを形成することで、支点ピンとラックを干渉しないようにして地板を小径化することで装置を小型化するものである。
【先行技術文献】
【特許文献】
【０００６】
【特許文献１】実開昭６０−７８０１６号公報
【特許文献２】特開２００７−６６３８２７号公報
【発明の概要】
【発明が解決しようとする課題】
【０００７】
しかしながら、特許文献１の虹彩絞り装置は、絞りを小さくしても、複数の絞り羽根に形成される長孔であるカム溝が被写体光束中に進入しない位置、つまり固有開孔よりも外方にカム溝が形成されており、そのために装置の小型化の支障になっている。
【０００８】
一方、特許文献２の光路開閉装置は、絞り量を小さくなるに伴って、絞り羽根のカム溝が光路開口内に進入するが、光路開口に進入するカム溝部分を他の絞り羽根によって覆うことで遮光している。
【０００９】
しかしながら、特許文献２の光路開閉装置では、光路開口に進入するカム溝部分を他の絞り羽根によって覆う必要があるため、絞り羽根の形状を大きくしなければならず、装置の小型化を阻害する要因となっている。また、他の絞り羽根のカム溝に係入されるカムフォロアと干渉しないようにする必要があるため、絞り羽根の形状を大きくすると、装置の小型化が困難となってしまう。
【００１０】
そこで、本発明は、上記事情に鑑みてなされたものであり、その目的とするところは、カム溝が形成された複数の絞り羽根を小さくしても、絞り径を小さくするにつれて、光路開口中に進入量が増加する上記カム溝を完全に遮光できるようにして、小型化を可能とした絞り装置を提供することである。
【課題を解決するための手段】
【００１１】
本発明の第１の絞り装置は、互いに重なり合う複数の絞り羽根を有する絞り装置において、撮影光学系の光軸を中心に開放開口量を定める開口を有した開口部材と、上記開口の外方に設けられた第１の支軸と、上記開口の外方に上記第１の支軸と異なる上記光軸を中心とした周方向の位置に設けられた第２の支軸と、上記第２の支軸と共に上記第１の支軸を挟むように上記開口の外方に上記第１の支軸、及び上記第２の支軸と異なる上記光軸を中心とした周方向の位置に設けられた第３の支軸と、上記第１の支軸より上記光軸内方に配設され、該光軸回りに移動する第１の駆動軸と上記第２の支軸より上記光軸内方に配設され、該光軸回りに移動する第２の駆動軸と、上記第３の支軸より上記光軸内方に配設され、該光軸回りに移動する第３の駆動軸と、を有し、上記第１の駆動軸、上記第２の駆動軸、及び上記第３の駆動軸を上記光軸回りに往復移動させる駆動部材と、上記絞り羽根の１つであって、上記第１の支軸に回動可能に嵌合された第１の回転孔と、上記第１の駆動軸が嵌入され、上記駆動部材が駆動されることにより上記第１の駆動軸の上記光軸回りの移動量に応じて、該第１の支軸回りの回転量を制御するための第１のカム溝と、を有し、該第１のカム溝により制御された上記第１の支軸回りの回転に伴い、該被写体拘束中に進入する第１の絞り羽根と、上記第１の絞り羽根とは異なる上記絞り羽根の１つであって、上記第２の支軸に回転可能に嵌合された第２の回転孔と、上記第２の駆動軸が嵌入され、上記駆動部材が駆動されることにより上記第２の駆動軸の上記光軸回りの移動量に応じて、該第２の支軸回りの回転量を制御するための第２のカム溝と、を有し、該第２のカム溝により制御された上記第２の支軸回りの回転に伴い、上記第１の絞り羽根が被写体光束中に進入するのに伴い、上記第１のカム溝の被写体拘束中の一部を遮光する第２の絞り羽根と、上記第１の絞り羽根、及び上記第２の絞り羽根とは異なる上記絞り羽根の１つであって、上記第３の支軸に回転可能に嵌合された第３の回転孔と、上記第２の駆動軸が嵌入され、上記駆動部材が駆動されることにより上記第３の駆動軸の上記光軸回りの移動量に応じて、該第３の支軸回りの回転量を制御するための第３のカム溝と、を有し、上記第１の絞り羽根が被写体光束中に進入するのに伴い、上記第２の絞り羽根では遮光しきれない上記第１のカム溝の残りの被写体光束中の未遮光残部を遮光する第３の絞り羽根と、を具備したことを特徴としている。
【００１２】
また、本発明の第２の絞り装置は、上記第１の絞り装置において、上記第３の絞り羽根の上記未遮光残部を遮光する部分は、凸状に形成されていることを特徴としている。
【００１３】
さらに、本発明の第３の絞り装置は、上記第１の絞り装置、または上記第２の絞り装置において、上記第２の絞り羽根、及び上記第３の絞り羽根は、上記第１の絞り羽根と同一形状であることを特徴としている。
【発明の効果】
【００１４】
本発明によれば、カム溝が形成された複数の絞り羽根を小さくしても、絞り径を小さくするにつれて、光路開口中に進入量が増加する上記カム溝を完全に遮光できるようにして、小型化を可能とした絞り装置を提供することができる。
【図面の簡単な説明】
【００１５】
【図１】本発明の一実施の形態の絞り装置の構成を示す斜視図
【図２】同、図１の絞り装置の分解斜視図
【図３】同、絞り羽根の構成を示す平面図
【図４】同、絞り羽根の回動を説明するための平面図
【図５】同、開放絞りが全開状態の絞り羽根を示す平面図
【図６】同、図５から所定の角度だけ閉じる方向へ旋回して、第１の中間絞りを規定した状態の絞り羽根を示す平面図
【図７】同、図６から所定の角度だけ閉じる方向へ旋回して、第２の中間絞りを規定した状態の絞り羽根を示す平面図
【図８】同、図７から所定の角度だけ閉じる方向へ旋回して、第３の中間絞りを規定した状態の絞り羽根を示す平面図
【図９】同、図８から所定の角度だけ閉じる方向へ旋回して、第４の中間絞りを規定した状態の絞り羽根を示す平面図
【図１０】同、最小絞り状態の絞り羽根を示す平面図
【図１１】同、所定の角度で閉じる方向へ回動した状態の絞り羽根３枚を示す平面図
【図１２】同、図１１の円ＸＩＩ部分を拡大した拡大図
【発明を実施するための形態】
【００１６】
以下、図を用いて本発明の一実施の形態について説明する。  
図１は、絞り装置の構成を示す斜視図、図２は図１の絞り装置の分解斜視図、図３は絞り羽根の構成を示す平面図、図４は絞り羽根の回動を説明するための平面図、図５は最大開放状態の絞り羽根を示す平面図、図６は図５から所定の角度だけ閉じる方向へ旋回して、第１の中間絞りを規定した状態の絞り羽根を示す平面図、図７は図６から所定の角度だけ閉じる方向へ旋回して、第２の中間絞りを規定した状態の絞り羽根を示す平面図、図８は図７から所定の角度だけ閉じる方向へ旋回して、第３の中間絞りを規定した状態の絞り羽根を示す平面図、図９は図８から所定の角度だけ閉じる方向へ旋回して、第４の中間絞りを規定した状態の絞り羽根を示す平面図、図１０は最小絞り状態の絞り羽根を示す平面図、図１１は所定の角度で閉じる方向へ回動した状態の絞り羽根３枚を示す平面図、図１２は図１１の円ＸＩＩ部分を拡大した拡大図である。
【００１７】
なお、以下の説明において、本実施形態のカメラの撮影光学系である撮影レンズ光軸をＯとし、被写体側を前方側、結像側を後方側（背面側）とする。また、回転方向は、被写体側から見た時計回り方向、または反時計回り方向で説明する。
【００１８】
図１、及び図２に示す、本実施の形態の絞り装置１は、光学系を通過する光量を調整するために図示しないカメラレンズ鏡筒、カメラ本体などに設けられる。  
絞り装置１は、図１に示すように、前方に位置する羽根押さえ２と、この羽根押さえ２の背面側に嵌合して固定ネジ８によって固定された絞り枠３と、この絞り枠３に配設されたモータ４と、を有している。
【００１９】
また、絞り装置１は、図２に示すように、羽根押さえ２、及び絞り枠３の間において、前方から順に、複数、ここでは７枚の絞り羽根６が互いに重なり合って円周状に重畳配置される絞り羽根群５と、絞り枠３に回動自在に係合保持される絞り板７が挟まれるように配設される。
【００２０】
羽根押さえ２は、開放絞りの全開状態を規定する真円状の光路開口部１１が中央に形成され、金属製、または遮光性を備えるように着色されたプラスチックなどの樹脂により射出形成される板状の開口部材を構成している。羽根押さえ２の肉厚部における光路開口部１１の周囲は、前方から後方へ窄まるテーパ形状となっている。なお、本実施の形態の絞り装置１は、羽根押さえ２の光路開口部１１によって、開放絞りとして規定されるが、これに限定することなく、絞り羽根群５の各絞り羽根６における後述する絞り形成縁辺２６（図３参照）によって開放絞りを規定する構成としても良い。
【００２１】
また、羽根押さえ２は、上下２箇所に固定ネジ８が挿通するネジ孔部１２、及び絞り枠３との嵌合位置を規定する２つの規定孔部１３が形成されている。さらに、羽根押さえ２は、光路開口部１１の外方側に向けた撮影光軸Ｏを中心とした周方向の等間隔の異なる位置に、ここでは７つのピン嵌合孔１４が配設されている。なお、羽根押さえ２の上部側の一部分からは、絞り枠３と嵌合したときに、絞り枠３の背面一部を引っ掛けて係止するための係止爪部１５が後方に向かって延設されている。
【００２２】
絞り枠３は、中央に羽根押さえ２の光路開口部１１よりも大きな開口径で真円状に形成された孔部４３を有し、金属製、または遮光性を備えるように着色されたプラスチックなどの樹脂により射出形成された枠本体４１を備えている。この枠本体４１の前面部には、上下２箇所に固定ネジ８が螺着するネジ孔４２が形成されている。また、枠本体４１は、羽根押さえ２の２つ規定孔部１３に夫々嵌入することにより、羽根押さえ２との嵌合位置を規定するための位置規定ピン４５が上下２箇所において前方へ向けて突設されている。
【００２３】
また、枠本体４１は、孔部４３を形成する内周面において、前面から後方側に所定の段差が生じるように内向フランジ状となるリブ４４が形成されている。また、リブ４４は、前方から見るとＣ字形状をした前面が平面形成されており、羽根押さえ２の光路開口部１１を超えないだけの撮影光軸Ｏ方向である内方への突出量を有している。このリブ４４は、孔部４３の開口面に対して直交して、所定の距離で離間する２つの端面部４４ａ，４４ｂを有している。
【００２４】
また、枠本体４１は、孔部４３の外方側に向けた撮影光軸Ｏを中心とする周方向の等間隔の異なる位置に前方へ突起するよう植設、または一体形成された、ここでは７つの支軸を構成する支軸ピン４６を有している。これら７つの支軸ピン４６は、羽根押さえ２と絞り枠３の嵌合時に、羽根押さえ２に形成された７つのピン嵌合孔１４に挿嵌される。
【００２５】
絞り枠３に配設されるモータ４は、枠本体４１の後方下部側に固定されている。このモータ４は、平歯状の小外径のギヤ５１が設けられ、側部に外部との電気的接点を構成する端子コネクタ部５２を備えている。ギヤ５１は、後述する絞り板７のラック３３に噛合するピニオンを構成する。
【００２６】
絞り板７は、金属製、または遮光性を備えるように着色されたプラスチックなどの樹脂により射出形成され、中央に孔部３４が形成された円板リング状の回動リング３１と、この回動リング３１の背面下方部から、後方へ延びて、さらに下方へ延設された前方から見たときに略Ｔ字状のラック板体３２と、を備えている。尚、回動リング３１の孔部３４は、羽根押さえ２の光路開口部１１の開口径以上の孔径を有する真円孔である。
【００２７】
回動リング３１の前面には、孔部３４の外方側へ向けた撮影光軸Ｏを中心とした周方向の等間隔の異なる位置に前方へ突起するよう植設、または一体形成された駆動軸を構成する、ここでは７つの駆動ピン３５を有している。
【００２８】
ラック板体３２は、回動リング３１の背面から下方に延設する首部３２ａを有し、この首部３２ａから左右方向に回動リング３１と同心円弧状に延設された板体外周縁辺にラック３３が形成されている。
【００２９】
以上のように構成された絞り板７は、絞り枠３に回動自在に嵌合される。詳述すると、回動リング３１は、外周径が絞り枠３の枠本体４１に形成された孔部４３と略同一の径寸法が設定された真円形状をしており、板厚が枠本体４１の前面からリブ４４の前面までの所定の段差と略同一の厚さ寸法が設定されている。
【００３０】
すなわち、回動リング３１が枠本体４１の孔部４３に収容された状態において、回動リング３１の外周面が枠本体４１の孔部４３を形成する内周面によって保持され、回動リング３１の背面がリブ４４の前面によって保持される。そして、回動リング３１は、前面が枠本体４１の前面と略同一面内に位置するように絞り枠３に回動可能に収容される。なお、各駆動ピン３５は、絞り板７が絞り枠３に収容された状態において、枠本体４１に設けられた各支軸ピン４６よりも撮影光軸Ｏに向う内方側に位置する。
【００３１】
さらに、回動リング３１は、絞り羽根群５を介して羽根押さえ２により前面側が摺動保持される。そのため、回動リング３１は、枠本体４１の孔部４３から脱落することが防止される。
【００３２】
また、ラック板体３２は、絞り板７の枠本体４１の背面側に一部が当接するように配置され、ラック３３がモータ４のギヤ５１に噛合される。つまり、モータ４のギヤ５１、及び絞り板７のラック３３によって、ラックアンドピニオンが構成され、モータ４の駆動力によって、回動リング３１が孔部４３内で撮影光軸Ｏ回りに往復回動駆動される。
【００３３】
なお、絞り板７のラック板体３２の首部３２ａの根元部分は、枠本体４１のリブ４４の端面部４４ａ，４４ｂ間に配置される。これにより、首部３２ａの根元部分の一側面がリブ４４の端面部４４ａに当接し、他側面がリブ４４の端面部４４ｂに当接することで、絞り板７の回動リング３１の回動範囲が規定されている。すなわち、絞り板７の回動リング３１の回動範囲は、本実施の形態の絞り装置１における開放絞りの全開から最小絞りの開口量が規定される。
【００３４】
次に、絞り羽根群５の絞り羽根６の構成について詳しく説明する。  
絞り羽根群５は、上述したように、ここでは７枚の絞り羽根６が撮影光軸Ｏを中心とする周状に一部が互いに重なり合って重畳配置されるように構成されている。
【００３５】
これら各絞り羽根６は、図３に示すように、紙面上方に向かって延出する腕部２３の端部に穿設された回転孔２１と、この回転孔２１回りの回転量を制御するため、腕部２３の根元から遠のくように反対側に向かって、一方の縁辺に沿って所定に設定された曲線形状に穿設されたカム溝２２と、を有している。  
各絞り羽根６は、回転孔２１が絞り枠３に形成された枠本体４１の所定の支軸ピン４６に回動可能に嵌合され、カム溝２２が絞り板７に形成された回動リング３１の所定の駆動ピン３５に嵌入される。そして、各絞り羽根６は、互いが嵌合する絞り枠３と羽根押さえ２との間において、支軸ピン４６回りに回動自在に挟設される。なお、回転孔２１の孔径と支軸ピン４６の直径、及びカム溝２２の溝幅と駆動ピン３５の直径は、各絞り羽根６の回動、または移動を阻害することのない所定の精度を有したすきま嵌めの状態で略同一の寸法が設定されている。
【００３６】
また、各絞り羽根６は、撮影光路が通過する羽根押さえ２の光路開口部１１に対して外方側（撮影光軸Ｏから離反する外周方向側）に位置する一側部（図３の紙面では左側部）に形成された第１の凹状部２４と、この凹状部２４から下方に外方側に向かって曲線状に延出形成された第１の凸状部２５と、羽根押さえ２の光路開口部１１に対して内方側（撮影光軸Ｏに近接する内周方向側）に位置する他側部（図３の紙面では右側部）に形成され、絞り開口形成のため所定に設定された円弧状の絞り形成縁辺２６と、この絞り形成縁辺２６に沿って上方へ延出して腕部２３と並設するように形成された第２の凸状部２７と、この第２の凸状部２７と腕部２３との間に形成される第２の凹状部２８とを有して構成されている。
【００３７】
なお、各絞り羽根６は、同一形状をしており、遮光性を備えるため、例えば、黒色にコーティングされた樹脂フィルムによって形成された遮光薄板を構成している。  
第１の凹状部２４は、図４に示すように、開放絞りの全開時において、反時計回り方向の隣接する絞り羽根６を回動自在に保持する支軸ピン４６と絞り羽根６との干渉を防止している。また、第１の凸状部２５は、羽根押さえ２の光路開口部１１から撮影光軸Ｏに向かった被写体光束中に進入する反時計回り方向の隣接する絞り羽根６のカム溝２２を覆って遮光するためのものである。さらに、絞り形成縁辺２６は、被写体光束中に進入時に重畳する各絞り羽根６と共に、光軸Ｏを中心とした被写体光束開口量を規定するためのものである。
【００３８】
そして、第２の凸状部２７は、被写体光束中に進入する時計回り方向の隣接する絞り羽根６のカム溝２２を覆って遮光するためのものである。また、第２の凹状部２８は、開放絞りの全開時において、時計回り方向の隣接する絞り羽根６を回動駆動する駆動ピン３５と絞り羽根６との干渉を防止している。
【００３９】
以上のように構成された各絞り羽根６は、支軸ピン４６回りの回動によって、光路開口部１１中に進入、及び脱出することで、所定の開口量（絞り値、絞り量）を規定する。
【００４０】
次に、以上のように構成された絞り装置１の絞り羽根群５の開閉動作について説明する。  
図５に示すように、絞り羽根群５の各絞り羽根６は、開放絞りである全開時においては、絞り形成縁辺２６が羽根押さえ２の光路開口部１１（図５の二点鎖線で示す円）の若干外側に位置する。このとき、絞り板７のラック板体３２の首部３２ａの根元部分は、枠本体４１のリブ４４の端面部４４ｂに当接して、回動リング３１の反時計回り方向の回動移動が規制された状態となっている。
【００４１】
また、絞り装置１は、被写体光束を所定の開口量に閉じる（絞る）とき、モータ４のギヤ５１が反時計回り方向に回転する。そして、ギヤ５１と絞り板７のラック３３との噛合により、ラック板体３２が撮影光軸Ｏを中心とした時計回り方向となる左方向に移動する。これにより、回動リング３１が撮影光軸Ｏを中心とした時計回り方向に回転し始める。尚、モータ４は、図示しない、カメラなどに配設される制御部によって駆動制御される。
【００４２】
各絞り羽根６は、図６から図１０に示すように、回動リング３１の撮影光軸Ｏを中心とした時計回り方向の回転に伴って、夫々の回転孔２１が嵌合する支軸ピン４６回りに、互いが摺動しながら反時計回り方向に回転して、各絞り形成縁辺２６によって、略円形状に被写体光束を所定の開口量となるように閉じる。
【００４３】
詳述すると、各絞り羽根６は、回動リング３１の駆動ピン３５が夫々嵌入されている各カム溝２２の縁辺部が、回動リング３１の撮影光軸Ｏを中心とした時計回り方向の回転に伴って移動する駆動ピン３５によって押動される。これにより、各絞り羽根６は、駆動ピン３５の移動に応じてカム溝２２の形状に従って支軸ピン４６を中心とした反時計回りに回転（旋回）する。つまり、各絞り羽根６は、図５の状態から図６に示すように、カム溝２２の形状に応じて支軸ピン４６回りの反時計回り方向の回転量が制御されて旋回し、羽根押さえ２の光路開口部１１内に進入し始める。
【００４４】
そして、回動リング３１がさらに撮影光軸Ｏを中心とした時計回りに回転すると、各絞り羽根６は、図７から図１０に示す最小絞となる状態（絞り値最大）で支軸ピン４６を中心とした反時計回りの回転が停止する。
【００４５】
これにより、各絞り羽根６は、互いが重なり合うように重畳しながら、夫々の絞り形成縁辺２６によって、羽根押さえ２の光路開口部１１周縁を覆うようにして被写体光束中に進入する。なお、図１０に示す各絞り羽根６が旋回した絞り羽根群５の状態は、本実施形態の絞り装置１において、被写体光束を最も絞った最小絞り状態である。このとき、絞り板７のラック板体３２の首部３２ａの根元部分は、枠本体４１のリブ４４の端面部４４ａに当接して、回動リング３１の時計回り方向の回動移動が規制された状態となっている。
【００４６】
また、被写体光束の絞りを開くときには、モータ４を逆に回転する。そして、撮影光軸Ｏを中心とした反時計回りに回動リング３１を回転させ、駆動ピン３５が各絞り羽根６のカム溝２２の縁辺部を押動することによって、カム溝２２の形状に従って各絞り羽根６が支軸ピン４６を中心とした時計回りに回転（旋回）制御される。
【００４７】
ここで、絞り開口量を変更するとき、隣接する絞り羽根６によって、絞り羽根６のカム溝２２が覆われて遮光される状態について説明する。
【００４８】
先ず、図５に示す開放絞りにおいて、各絞り羽根６のカム溝２２は、羽根押さえ２の光路開口部１１内である被写体光束中に進入していない状態となっている。また、図６、及び図７に示す所定の第１、及び第２の中間絞りにおいても、各絞り羽根６のカム溝２２は、隣接する絞り羽根６によって一部が重畳して覆われるが、絞りが全開時の被写体光束中（光路開口部１１内）に進入していない状態となっている（図６の一点鎖線円Ａ、及び図７の一点鎖線円Ｂ参照）。
【００４９】
次に、図８から図１０に示す、所定の第３、第４の中間絞り、及び最小絞り状態においては、各絞り羽根６のカム溝２２は、被写体光束中（羽根押さえ２の光路開口部１１内）に進入している状態となっている。また、各絞り羽根６により光路開口量（絞り開口量）が小さくなるにつれて、被写体光束中（羽根押さえ２の光路開口部１１内）への各絞り羽根６のカム溝２２の進入量が増加する。
【００５０】
これら所定の第３、第４の中間絞り、及び最小絞りの全ての状態において、被写体光束中に進入している各絞り羽根６のカム溝２２部分は、撮影光軸Ｏを中心とした時計回り方向、及び反時計回り方向の隣接する両側の２つの絞り羽根６によって、覆われて遮光されている。言い換えれば、被写体光束中にある絞り羽根６のカム溝２２中を通過しようとする被写体光束の一部をこの絞り羽根６の両側にある２つの絞り羽根６により遮断している。
【００５１】
これら被写体光束中に進入するカム溝２２の遮光状態について、さらに詳しく図１１、及び図１２に基づいて説明する。なお、以下の説明において、３枚の絞り羽根６のみを図示し、上下方向の中間に位置するものを第１の絞り羽根６ａとし、第１の絞り羽根６ａに対して撮影光軸Ｏを中心とした時計回り方向に隣接して、第１の絞り羽根６ａの図１１中紙面平面方向の上方に位置する（光軸Ｏ方向において、第１の絞り羽根６ａの背面）ものを第２の絞り羽根６ｂとし、第１の絞り羽根６ａに対して撮影光軸Ｏを中心とした反時計回り方向に隣接して、第１の絞り羽根６ａの下方に位置する（光軸Ｏ方向において、第１の絞り羽根６ａの前方）ものを第３の絞り羽根６ｃとする。
【００５２】
また、第１の絞り羽根６ａを回動保持する支軸ピンを第１の支軸ピン４６ａとし、この第１の支軸ピン４６ａが嵌合する第１の絞り羽根６ａの回転孔を第１の回転孔２１ａ、第２の絞り羽根６ｂを回動保持する支軸ピンを第２の支軸ピン４６ｂとし、この第２の支軸ピン４６ｂが嵌合する第２の絞り羽根６ｂの回転孔を第２の回転孔２１ｂ、及び第３の絞り羽根６ｃを回動保持する支軸ピンを第３の支軸ピン４６ｃとし、この第３の支軸ピン４６ｃが嵌合する第３の絞り羽根６ｃの回転孔を第３の回転孔２１ｃで示している。なお、第１の支軸ピン４６ａは、第２の支軸ピン４６ｂ、及び第３の支軸ピン４６ｃに撮影光軸Ｏを中心とした周方向において挟まれた位置にある。
【００５３】
さらに、第１の絞り羽根６ａを回転制御するための絞り板７の回動リング３１に設けられる駆動軸を第１の駆動ピン３５ａとし、この第１の駆動ピン３５ａが嵌入する第１の絞り羽根６ａの第１のカム溝を符号２２ａで示す。同様に、第２の駆動ピン３５ｂによって回動制御される第２の絞り羽根６ｂの第２のカム溝を符号２２ｂとし、第３の駆動ピン３５ｃによって回動制御される第３の絞り羽根６ｂの第３のカム溝を符号２２ｃで示す。
【００５４】
また、第１の絞り羽根６ａの第１のカム溝２２ａを覆って遮光している第２の絞り羽根６ｂの第１の凸状部を符号２５ｂで示し、第１の絞り羽根６ａのカム溝２２を覆って遮光している第３の絞り羽根６ｃの第２の凸状部を符号２７ｃで示して説明する。
【００５５】
図１１に示すように、第１の絞り羽根６ａの第１のカム溝２２ａの羽根押さえ２の光路開口部１１中に進入する部分が、第２の絞り羽根６ｂの第１の凸状部２５ｂ、及び第３の絞り羽根６ｃの第２の凸状部２７ｃの光軸Ｏ方向前後の重畳によって覆われて遮光される。
【００５６】
詳述すると、図１１に示すＸＩＩ領域を拡大した図１２に示すように、第１の絞り羽根６ａの第１のカム溝２２ａの光路開口部１１中に進入している一部分が、撮影光軸Ｏを中心とした時計回り方向に隣接して位置して重畳する第２の絞り羽根６ｂの第１の凸状部２５ｂによって覆われている（図中、横縞線で示す遮光領域Ｂ）。また、第１の絞り羽根６ａの第１のカム溝２２ａの光路開口部１１中に進入している一部分が、撮影光軸Ｏを中心とした反時計回り方向に隣接して位置して重畳する第３の絞り羽根６ｃの第２の凸状部２７ｃによって覆われている（図中、縦縞線で示す遮光領域Ｃ）。
【００５７】
つまり、第２の絞り羽根６ｂの第１の凸状部２５ｂで遮光しきれない第１の絞り羽根６ａの第１のカム溝２２ａの未遮光残部（未遮断残部）を第３の絞り羽根６ｃの第２の凸状部２７ｃによって遮光している。そして、第１の絞り羽根６ａの第１のカム溝２２ａが被写体光束中に進入している部分において、第２の絞り羽根６ｂの第１の凸状部２５ｂ、及び第３の絞り羽根６ｃの第２の凸状部２７ｃが重畳して共に遮光している領域が遮光領域ＢＣ（図２中の格子状態）で示されている。すなわち、第２の絞り羽根６ｂの第１の凸状部２５ｂで遮光しきれない第１の絞り羽根６ａの第１のカム溝２２ａの未遮光残部とは、遮光領域Ｃであり遮光領域ＢＣ外の領域である。また、板厚分の厚みを有する第１の絞り羽根６ａのカム溝２２ａを介して第２の絞り羽根６ｂ、第３の絞り羽根６ｃが光軸Ｏ方向に順次積層されるので、光軸Ｏと直交する方向のカム溝２２ａに空間部が形成される。具体的には、遮光領域Ｂから遮光領域ＢＣを経由して遮光領域Ｃにその空間部が形成される。しかし、遮光領域Ｃの周囲が充分な面積で遮光され、かつ各絞り羽根６ｂ，６ｃが黒色処理されているので該カム溝２２ａ中に光が僅かに進入し該光が被写体光束中に漏れることは無い。
【００５８】
また、以上では、３枚の第１から第３の絞り羽根６ａ、６ｂ、６ｃを例に挙げて説明したが、本実施の形態の絞り装置１は、周状に配置された各絞り羽根６の夫々も同様に、１枚の絞り羽根６を基準として、撮影光軸Ｏを中心とした時計回り方向、及び反時計回り方向に隣接する両側２枚の絞り羽根６によって、羽根押さえ２の光路開口部１１中に進入するカム溝２２を遮光する構成となっている。
【００５９】
以上の説明から、本実施の形態の絞り装置１は、各絞り羽根６に第２の凸部２７を形成することによって、光路開口部１１内に進入した一つの絞り羽根６のカム溝２２に関して他の絞り羽根６によって遮光しきれない未遮光残部を第２の凸部が覆って遮光する構成となっていることがわかる。なお、各絞り羽根６に形成された夫々の第２の凸部２７は、各絞り羽根６の支軸ピン４６回りの回動時に、他の絞り羽根６のカム溝２２などに引っ掛かることなく、さらに、回動リング３１の駆動ピン３５などとも干渉しないように所定に延出する凸形状が設定されている。
【００６０】
従って、各絞り羽根６は、面積を小さくして小型化しても、各絞り羽根６に形成するカム溝２２を被写体光束中に進入する位置まで形成することができ、カム溝２２の長さを十分に確保することができる。その結果、各絞り羽根６の回転孔２１に嵌合して回動保持する周方向に設ける各支軸ピン４６、及び各絞り羽根６のカム溝２２に嵌入して押動制御する周方向に設ける駆動ピン３５を撮影光軸Ｏの内方側に寄せて配置することができるため、絞り枠３、及絞り板７を撮影光軸Ｏ回りの形状も小型化とすることができる。従って、本実施の形態の絞り装置１は、小型化が可能となる。
【００６１】
なお、以上の各実施の形態に記載した発明は、その実施の形態、および変形例に限ることなく、その他、実施段階ではその要旨を逸脱しない範囲で種々の変形を実施し得ることが可能である。
【産業上の利用可能性】
【００６２】
本発明による絞り装置は、小型なレンズ鏡筒、またはカメラに利用することができる。
【符号の説明】
【００６３】
１…絞り装置
２…羽根押さえ（開口部材）
３…絞り枠（回動部材）
４…モータ
５…絞り羽根ユニット
６…絞り羽根
６ａ…第１の絞り羽根
６ｂ…第２の絞り羽根
６ｃ…第３の絞り羽根
７…絞り板（駆動部材）
１１…開口部（開放絞りが全開）
２１…回転孔
２１ａ…第１の回転孔
２１ｂ…第２の回転孔
２１ｃ…第３の回転孔
２２…カム溝
２２ａ…第１のカム溝
２２ｂ…第２のカム溝
２２ｃ…第３のカム溝
２３…腕部
２４…第１の凹状部
２５、２５ｂ…第１の凸状部
２６…絞り形成縁辺
２７、２７ｃ…第２の凸状部
２８…第２の凹状部
３１…回動リング
３３…ラック
３５…駆動ピン
３５…第１の駆動ピン（第１の駆動軸）
３５…第２の駆動ピン（第２の駆動軸）
３５…第３の駆動ピン（第３の駆動軸）
４１…枠本体
４４…リブ
Ｏ…撮影光軸
【図１】
2010281970.tif 000003
【図２】
2010281970.tif 000004
【図３】
2010281970.tif 000005
【図４】
2010281970.tif 000006
【図５】
2010281970.tif 000007
【図６】
2010281970.tif 000008
【図７】
2010281970.tif 000009
【図８】
2010281970.tif 000010
【図９】
2010281970.tif 000011
【図１０】
2010281970.tif 000012
【図１１】
2010281970.tif 000013
【図１２】
2010281970.tif 000014